(57)【要約】【課題】より狭い空間に収容できるスティック型掃除機を提供する。【解決手段】スティック型掃除機の本体に連結される吸込具ユニットであって、吸込具と、当該吸込具の長手方向の略中央に接続された連結管のフランジと、を有し、吸込具内には、フランジの回転を制御する回転制御部が配され、回転制御部は、ピストンと、ピストンを付勢する弾性部材と、を有し、フランジは、ピストンと当接する複数の面を有し、複数の面は、第１の側面と第２の側面を含み、ピストンがフランジの第１の側面に当接した状態で連結管が回転すると、ピストンが第２の側面に当接した状態となることが可能である。【選択図】図６
2019195663.tif 000002
【特許請求の範囲】
【請求項１】
スティック型掃除機の本体に連結される吸込具ユニットであって、
吸込具と、当該吸込具の長手方向の略中央に接続された連結管のフランジと、を有し、
前記吸込具内には、前記フランジの回転を制御する回転制御部が配され、
前記回転制御部は、ピストンと、前記ピストンを付勢する弾性部材と、を有し、
前記フランジは、前記ピストンと当接する複数の面を有し、
前記複数の面は、第１の側面と第２の側面を含み、
前記ピストンが前記フランジの前記第１の側面に当接した状態で前記連結管が回転すると、前記ピストンが前記第２の側面に当接した状態となることが可能である、吸込具ユニット。
【請求項２】
前記フランジは前記第１の側面と前記第２の側面が直交する部分に頂部を有し、
前記第１の側面に前記ピストンが当接した状態で、前記連結管が回転すると、前記ピストンは、前記第１の側面上、前記頂部上、前記第２の側面上を順に摺動することが可能である、請求項１に記載の吸込具ユニット。
【請求項３】
請求項１または２に記載の吸込具ユニットを備えるスティック型掃除機。
【発明の詳細な説明】
【技術分野】
【０００１】
本発明は、直立した状態で収容できるスティック型掃除機に関する。
【背景技術】
【０００２】
スティック型掃除機は縦長の形状を有するため、リビングなどの居住空間に形成される比較的狭い空間に直立した状態で収納することができる。なお、特許文献１は従来のスティック型掃除機の一例を開示している。
【先行技術文献】
【特許文献】
【０００３】
【特許文献１】特開２０１０−１２５１９３号公報
【発明の概要】
【発明が解決しようとする課題】
【０００４】
スティック型掃除機において収納性は重要な要素である。このため、より狭い空間に収容できる構造を備えることが望ましい。
【課題を解決するための手段】
【０００５】
本発明に関する吸込具ユニットは、スティック型掃除機の本体に連結される吸込具ユニットであって、吸込具と、当該吸込具の長手方向の略中央に接続された連結管のフランジと、を有し、前記吸込具内には、前記フランジの回転を制御する回転制御部が配され、前記回転制御部は、ピストンと、前記ピストンを付勢する弾性部材と、を有し、前記フランジは、前記ピストンと当接する複数の面を有し、前記複数の面は、第１の側面と第２の側面を含み、前記ピストンが前記フランジの前記第１の側面に当接した状態で前記連結管が回転すると、前記ピストンが前記第２の側面に当接した状態となることが可能である。また、本発明に関するスティック型掃除機は前記吸込具ユニットを備える。
【発明の効果】
【０００６】
本発明に関する吸込具ユニットおよびこれを備えるスティック型掃除機はより狭い空間に収容できる。
【図面の簡単な説明】
【０００７】
【図１】実施の形態のスティック型掃除機の側面図。
【図２】図１のスティック型掃除機の正面図。
【図３】図１の吸込具ユニットの斜視図。
【図４】図３の吸込具ユニットの底面図。
【図５】図３の吸込具ユニットの断面図。
【図６】図５の６−６線の断面図。
【図７】図６の状態から吸込具と連結管とが相対回転した状態を示す断面図。
【図８】図７の状態から吸込具と連結管とが相対回転した状態を示す断面図。
【図９】図４の９−９線の断面図。
【図１０】図９の状態からシャッターが開いた状態を示す断面図。
【図１１】吸込具ユニットが床面に立てられた状態を示す正面図。
【図１２】吸込具の第１の状態を示す側面図。
【図１３】吸込具の第２の状態を示す側面図。
【図１４】吸込具の第３の状態を示す側面図。
【図１５】吸込具のアンロック状態を示す断面図。
【図１６】図１５のロック機構およびその周辺の拡大図。
【図１７】吸込具のロック状態を示す断面図。
【図１８】図１７のロック機構およびその周辺の拡大図。
【図１９】スティック型掃除機の収納状態を示す正面図。
【発明を実施するための形態】
【０００８】
（スティック型掃除機が取り得る形態の一例）
〔１〕本発明のスティック型掃除機の一形態は、吸込具の長手方向が本体の長手方向に沿うように前記吸込具を前記本体に対して回転させることができる回転構造と、前記吸込具の長手方向が前記本体の長手方向に沿う状態において、前記本体に対する前記吸込具の回転をロックするロック機構とを備える。
【０００９】
上記スティック型掃除機によれば、吸込具の長手方向が本体の長手方向に沿う状態のとき、スティック型掃除機の正面視における幅方向の寸法が短くなる。このため、スティック型掃除機をより狭い空間に収容できる。また、その状態において吸込具の回転をロックできるため、スティック型掃除機を収納するときの作業性が向上する。
【００１０】
〔２〕前記スティック型掃除機の一例によれば、前記吸込具の長手方向が前記本体の長手方向に沿う状態において、前記吸込具の高さが前記本体の最大幅と同じ、または、前記最大幅よりも狭い。
【００１１】
〔３〕前記スティック型掃除機の一例によれば、前記回転構造は、前記吸込具の高さ方向および前記吸込具の長手方向と直交する第１の軸まわりで前記吸込具を回転させる第１の回転構造、および、前記本体の正面視において前記本体の長手方向と直交する第２の軸まわりで前記吸込具を回転させる第２の回転構造を含む。
【００１２】
〔４〕前記スティック型掃除機の一例によれば、前記吸込具の長手方向が前記第２の軸に沿う状態が第１の状態であり、前記吸込具の長手方向が前記第２の軸に直交する状態が第２の状態である場合において、前記第１の状態を基準とした前記吸込具の回転角度が所定の角度未満のとき、前記吸込具の回転位置が前記第１の状態における回転位置に近づくように前記吸込具に力を与え、前記吸込具の回転角度が前記所定の角度以上のとき、前記吸込具の回転位置が前記第２の状態における回転位置に近づくように前記吸込具に力を与える回転制御部をさらに備える。
【００１３】
（実施の形態）
図１および図２を参照して、スティック型掃除機（以下では「掃除機１」）の構成について説明する。図１に示されるように、掃除機１は、本体１０および吸込具ユニット２０を備えている。本体１０は、ハウジング１１、ハンドル１２、延長管６０、吸引ユニット７０、集塵ユニット８０、ダストボックス９０、および、電池ユニット１００を備えている。ハウジング１１および延長管６０は細長い形状を有する。延長管６０はハウジング１１の一方の端部に接続されている。吸込具ユニット２０は延長管６０の一方の端部に接続されている。ハウジング１１および延長管６０の長手方向は、掃除機１の長手方向である縦方向ＺＡを規定している。ハンドル１２は、ハウジング１１の他方の端部に取り付けられ、掃除機１を操作するユーザーにより握られる。
【００１４】
吸引ユニット７０、集塵ユニット８０、ダストボックス９０、および、電池ユニット１００は、ハウジング１１の背面に取り付けられている。縦方向ＺＡにおいて、延長管６０側からダストボックス９０、集塵ユニット８０、吸引ユニット７０、および、電池ユニット１００の順に各ユニットが並べられている。吸引ユニット７０、集塵ユニット８０、ダストボックス９０、および、電池ユニット１００の長手方向は、掃除機１の縦方向ＺＡと
平行である。吸引ユニット７０のケース７１、集塵ユニット８０のケース８１、ダストボックス９０のケース９１、および、電池ユニット１００のケース１０１の外径はおおよそ等しく、本体１０における幅方向ＺＢの最大寸法（以下では「本体１０の最大幅」）を規定している。
【００１５】
吸引ユニット７０は、ごみを吸引するための吸引力を発生する電動送風機７２を備えている。集塵ユニット８０は遠心分離式の集塵装置であり、吸引ユニット７０により吸引されたごみと空気とを分離する。ダストボックス９０は、集塵ユニット８０により圧縮されたごみを収容する。電池ユニット１００は、吸込具ユニット２０および吸引ユニット７０の電動送風機７２に電力を供給する。
【００１６】
図２に示される掃除機１の正面視において、掃除機１の縦方向ＺＡと直交する方向は掃除機１の幅方向ＺＢである。ハウジング１１および延長管６０の幅方向ＺＢの寸法はおおよそ等しい。吸引ユニット７０、集塵ユニット８０、ダストボックス９０、および、電池ユニット１００の幅方向ＺＢの寸法はおおよそ等しく、ハウジング１１および延長管６０の幅方向ＺＢの寸法よりも大きい。
【００１７】
図２〜図６を参照して、吸込具ユニット２０の構成について説明する。
【００１８】
図３および図４に示されるように、吸込具ユニット２０は、吸込具３０および連結管４０を備えている。吸込具３０は、ケース３１、シャッター３２、回転ブラシ３３、および、ローラー３４を備えている。図２に示されるように、吸込具３０の長手方向ＺＤの寸法は、本体１０の最大幅である吸引ユニット７０、集塵ユニット８０、ダストボックス９０、および、電池ユニット１００の幅方向ＺＢの寸法よりも大きい。
【００１９】
図４に示されるように、ケース３１は、底面３１Ｐに開口する吸込口３１Ｑを備えている。回転ブラシ３３は、吸込口３１Ｑに配置されている。シャッター３２は、ケース３１における前方側の部分に設けられ、ケース３１に対して移動することにより、前方側の部分を開放または閉鎖する。ケース３１における前方側の部分が開放されることにより、吸込口３１Ｑがケース３１の前方側にも開口する。ローラー３４は、吸込具３０の長手方向ＺＤに回転できるようにシャッター３２の前面に設けられている。ローラー３４が壁または床面等に接触した状態において、吸込具３０が幅方向ＺＢに移動するとき、ローラー３４の回転により吸込具３０がスムーズに移動できる。
【００２０】
回転ブラシ３３は、基材３３ａ、複数の第１の毛ブラシ３３ｂ、および、複数の第２の毛ブラシ３３ｃを備えている。基材３３ａは、ケース３１に対する回転が可能な状態でケース３１により支持されている。複数の第１の毛ブラシ３３ｂおよび複数の第２の毛ブラシ３３ｃは、基材３３ａの外周において周方向に交互に植えられている。第１の毛ブラシ３３ｂは、基材３３ａの長手方向において隙間が形成されないように基材３３ａに植えられている。１つの第２の毛ブラシ３３ｃは、基材３３ａの長手方向に一定の間隔を置いて植えられた複数の単位ブラシ３３ｄを含む。隣り合う単位ブラシ３３ｄの間には、空気がスムーズに流れることが可能な隙間３３ｅが形成されている。このため、シャッター３２が開かれた状態において、ケース３１の前方の空気が隙間３３ｅを介してケース３１内に流れ込む。隙間３３ｅが形成されていない場合よりも空気の流れに対する抵抗が小さいため、吸込具ユニット２０の吸引力が高められる。
【００２１】
連結管４０は延長管６０（図２参照）と連結される。吸込具３０は連結管４０の回転中心軸である第１の軸ＪＸ１まわりで連結管４０に対して回転可能である。掃除機１は吸込具３０の回転に応じて複数の形態を取り得る。複数の形態は、例えば次の第１の形態、第２の形態、および、第３の形態を含む。
【００２２】
第１の形態は、床面ＦＬの清掃に用いられる形態であり、吸込具３０が第１の状態を取る形態である。吸込具３０の第１の状態は、図２に示されるように吸込具３０の長手方向ＺＤが掃除機１の幅方向ＺＢと平行な状態である。第２の形態は、掃除機１の形態が第１の形態から第３の形態に変更される過程において経由する形態であり、吸込具３０が第２の状態を取る形態である。吸込具３０の第２の状態は、図１３に示されるように、掃除機１の側面視において吸込具３０の長手方向ＺＤが掃除機１の縦方向ＺＡに直交する状態である。第３の形態は、掃除機１がスタンド等の所定の収納場所に配置される場合に用いられる形態であり、吸込具３０が第３の状態を取る形態である。吸込具３０の第３の状態は、図１９に示されるように掃除機１の正面視において吸込具３０の長手方向ＺＤが本体１０の縦方向ＺＡに沿う状態である。なお、第２の形態は家具と家具との間のような狭い隙間の床面ＦＬの清掃に用いることもできる。
【００２３】
図５に示されるように、吸込具３０は、ノズルモーター３５および回転制御部３６をさらに備えている。ノズルモーター３５および回転制御部３６はケース３１内に収容されている。ノズルモーター３５は、電池ユニット１００（図１参照）から供給される電力により駆動し、回転ブラシ３３を回転させる。
【００２４】
ケース３１は連通管３１ａおよび支持部３１ｂを備えている。連通管３１ａは、吸込口３１Ｑと連通するようにケース３１内に設けられている。支持部３１ｂは、連結管４０のうちのケース３１内に挿入されている部分を吸込具３０に対して回転できるように支持している。
【００２５】
連結管４０は、第１の連結管４１、第２の連結管４２、および、規制部４３を備えている。第１の連結管４１はケース３１内に配置され、連通管３１ａと連結されている。第１の連結管４１の外周にはフランジ４１ａが設けられている。フランジ４１ａは支持部３１ｂに収容されている。第２の連結管４２は延長管６０（図１参照）に対する回転が不能な状態で延長管６０に接続されている。
【００２６】
第１の連結管４１と第２の連結管４２との接続部４０Ｘはボールジョイントである。接続部４０Ｘは回転中心軸として少なくとも第２の軸ＪＸ２を含む。規制部４３は、ケース３１に取り付けられ、第１の連結管４１と第２の連結管４２とが第２の軸ＪＸ２以外の軸まわりで回転できないように接続部４０Ｘの一部を覆っている。このため、第１の連結管４１と第２の連結管４２とは第２の軸ＪＸ２まわりだけで相対的に回転する。
【００２７】
吸込具ユニット２０は、吸込具３０の長手方向ＺＤが本体１０の縦方向ＺＡ（ともに図２参照）に沿うように吸込具３０を本体１０に対して回転させることができる回転構造Ｓをさらに備えている。回転構造Ｓは、吸込具３０を第１の軸ＪＸ１まわりで連結管４０に対して回転させるための第１の回転構造Ｓ１、および、吸込具３０を第２の軸ＪＸ２まわりで連結管４０に対して回転させるための第２の回転構造Ｓ２を含む。第２の回転構造Ｓ２は、第１の連結管４１と第２の連結管４２との接続部４０Ｘおよび規制部４３により構成されている。
【００２８】
第１の軸ＪＸ１は、吸込具３０の平面視において長手方向ＺＤに直交する直交方向ＺＥに沿う。一例では、第１の軸ＪＸ１の位置は吸込具３０の長手方向ＺＤの中央、かつ、高さ方向ＺＦの中央である。第２の軸ＪＸ２は、本体１０の正面視（図２参照）において幅方向ＺＢに沿う。一例では、第２の軸ＪＸ２の位置は吸込具３０の高さ方向ＺＦの中央である。
【００２９】
連結管４０は、第１の連結管４１と第２の連結管４２との相対的な回転をロックするロ
ック機構５０をさらに備えている。ロック機構５０は、第２の連結管４２に形成された突出部５１、および、規制部４３に形成された凸部５２を含む。ロック機構５０は、第１の連結管４１と第２の連結管４２との相対的な回転が可能なアンロック状態、および、第１の連結管４１と第２の連結管４２との相対的な回転が不能なロック状態を取り得る。
【００３０】
図６〜図８を参照して、第１の回転構造Ｓ１の詳細について説明する。
【００３１】
回転制御部３６は、第１の軸ＪＸ１まわりにおける連結管４０に対する吸込具３０の回転を制御する構造であり、ピストン３６ａおよび弾性部材３６ｂを備えている。ピストン３６ａは、ケース３１に対して長手方向ＺＤに移動可能な状態でケース３１内に配置され、フランジ４１ａと接触する。弾性部材３６ｂは、ピストン３６ａをフランジ４１ａに押し付ける力をピストン３６ａに付与できるようにケース３１内に配置されている。弾性部材３６ｂの一例は、コイルばねである。第１の連結管４１のフランジ４１ａの形状は四角形である。フランジ４１ａの四隅のうちの隣り合う２つの隅には、支持部３１ｂに向けて突出する突起４１ｂが形成されている。支持部３１ｂは、吸込具３０の長手方向ＺＤにおいて第１の軸ＪＸ１に対してピストン３６ａとは反対側に設けられた円弧状の壁部３１ｃを含む。
【００３２】
図６に示されるように、吸込具３０の状態が第１の状態である場合、ピストン３６ａの頂面の全体がフランジ４１ａの第１の側面４１ｄに押し付けられ、一方の突起４１ｂが支持部３１ｂの壁部３１ｃに押し付けられている。このため、フランジ４１ａとピストン３６ａおよび壁部３１ｃとの間に生じる摩擦力が、吸込具３０と第１の連結管４１とを相対的に回転させようとする力に対する抵抗として作用し、吸込具３０の状態が第１の状態に保たれやすい。
【００３３】
吸込具３０と第１の連結管４１とを相対的に回転させる大きな力が吸込具３０および連結管４０に加えられた場合、吸込具３０と連結管４０とが相対的に回転し、フランジ４１ａとピストン３６ａとの接触位置が変化する。吸込具３０の第１の状態を基準とした吸込具３０の回転角度（以下では単に「吸込具３０の回転角度」）が所定の角度未満の場合、回転制御部３６の弾性部材３６ｂの力は、吸込具３０の回転位置を第１の状態における回転位置に近づけるように作用する。このため、ユーザーが吸込具３０および連結管４０に回転力を加えていなくても吸込具３０の状態が第１の状態に戻る。図示される例では、所定の角度は４５°である。
【００３４】
図７は、吸込具３０の回転角度が所定の角度に到達した状態を示している。このとき、ピストン３６ａがフランジ４１ａの頂部４１ｅとの接触により、弾性部材３６ｂ側に最も押し込められている。この状態から吸込具３０の回転角度がさらに増加するように吸込具３０と連結管４０とが相対的に回転することにより、ピストン３６ａの頂面がフランジ４１ａの第２の側面４１ｆと接触する。
【００３５】
図８に示されるように、吸込具３０の回転角度が最大の回転角度に達したとき、ピストン３６ａの頂面の全体がフランジ４１ａの第２の側面４１ｆに押し付けられる。図示される例では、最大の角度は９０°である。このとき、吸込具３０が第２の状態を取る。他方の突起４１ｂがピストン３６ａと接触していることにより、吸込具３０と第１の連結管４１とは吸込具３０の回転角度がさらに増加する方向に回転できない。
【００３６】
吸込具３０の回転角度が所定の角度以上かつ最大の角度未満の状態によれば、回転制御部３６の弾性部材３６ｂの力は、吸込具３０の回転位置を第２の状態における回転位置に近づけるように作用する。このため、ユーザーが吸込具３０および連結管４０に回転力を加えていなくても吸込具３０の状態が第２の状態に変化する。
【００３７】
図９〜図１１および図１９を参照して、掃除機１の動作について説明する。
【００３８】
図９に示されるように、第１の形態を取る掃除機１が床面ＦＬの清掃に用いられるとき、シャッター３２はケース３１の前方の部分を閉鎖している。この状態から掃除機１が図１０に示されるように壁面ＷＳに接近し、シャッター３２が壁面ＷＳに押し付けられたとき、シャッター３２がケース３１に対して移動し、ケース３１の前方の部分が開放される。このため、ケース３１の前方側からもケース３１内に空気が流入し、床面ＦＬと壁面ＷＳとにより構成される角に存在するごみが吸引されやすい。
【００３９】
掃除機１が家具と家具との隙間などのような狭いスペースの清掃に用いられるとき、図１１に示されるように掃除機１の形態が第２の形態に変更される。第２の形態において、シャッター３２が床面ＦＬに押し付けられたとき、シャッター３２がケース３１に対して移動し、ケース３１の前方の部分が開放される。このため、ケース３１の前方側からもケース３１内に空気が流入し、隙間の床面ＦＬ上に存在するごみが吸引されやすい。
【００４０】
掃除機１がスタンド等の所定の収納場所に配置されるとき、図１９に示されるように、掃除機１の形態が第３の形態に変更される。この形態では、掃除機１の正面視において吸込具３０の長手方向ＺＤが本体１０の縦方向ＺＡに沿うため、掃除機１の幅方向ＺＢの寸法が第１の形態における掃除機１の幅方向ＺＢの寸法よりも小さい。このため、掃除機１をより狭い空間に収納できる。また、吸込具３０の高さ方向ＺＦの寸法が本体１０の最大幅よりも狭いため、掃除機１をより一層狭い空間に収容できる。なお、掃除機１の幅方向ＺＢの寸法は、第１の形態における掃除機１の幅方向ＺＢの寸法と同じであってもよい。
【００４１】
図１２〜図１４を参照して、掃除機１の形態を第１の形態から第３の形態に変更する手順について説明する。図１２に示されるように、最初に、第１の形態において第１の状態を取る吸込具３０が第２の軸ＪＸ２まわりで回転させられる。このとき、吸込具３０の直交方向ＺＥが本体１０の縦方向ＺＡと平行するまで吸込具３０が回転させられる。
【００４２】
次に、吸込具３０が第１の軸ＪＸ１まわりで回転方向Ｗ１に回転させられることにより、図１３に示されるように吸込具３０が第２の状態を取る。次に、吸込具３０が第２の軸ＪＸ２まわりで回転方向Ｒ１に回転させられることにより、図１４に示されるとおり吸込具３０の長手方向ＺＤが本体１０の縦方向ＺＡに沿い、吸込具３０が第３の状態を取る。これにより、掃除機１の第１の形態から第３の形態への変更が完了する。
【００４３】
図１５は、吸込具３０の状態が第２の状態から第３の状態に変化する過程における吸込具３０および連結管４０の関係を示している。図１６は、この状態におけるロック機構５０の状態を示している。図１６に示されるように、凸部５２と突出部５１とが引っ掛からず、第１の連結管４１の端部４１ｃと第２の連結管４２の外周面４２ａとの間に隙間Ｇが形成されている。このため、ロック機構５０の状態がアンロック状態に保たれる。
【００４４】
図１７は、吸込具３０が第３の状態を取る場合における吸込具３０および連結管４０の関係を示している。図１８は、この状態におけるロック機構５０の状態を示している。吸込具３０の状態が第３の状態である場合、図１８に示されるように凸部５２と突出部５１とが引っ掛かり、第１の連結管４１の端部４１ｃと第２の連結管４２の外周面４２ａとが接触している。凸部５２と突出部５１とが引っ掛かることにより、吸込具３０と連結管４０との第２の軸ＪＸ２まわりにおける一方への回転が規制される。第１の連結管４１の端部４１ｃと第２の連結管４２の外周面４２ａとが接触していることにより、吸込具３０と連結管４０との第２の軸ＪＸ２まわりにおける他方への回転が規制され、ロック機構５０が吸込具３０をロックした状態が形成される。この状態で掃除機１がスタンド等に収納さ
れるとき、掃除機１が移動しても吸込具３０が本体１０に対して回転しないため、掃除機１を収納するときの作業性が向上する。
【００４５】
（変形例）
なお、実施の形態に関する説明は、本発明のスティック型掃除機が取り得る形態の例示であり、その形態を制限することを意図していない。本発明に従うスティック型掃除機は、実施の形態以外に例えば以下に示される実施の形態の変形例、および、相互に矛盾しない少なくとも２つの変形例が組み合わせられた形態を取り得る。
【００４６】
・掃除機１の最大幅を狭くする吸込具３０の位置は図１９に例示された位置に限られない。例えば、吸込具３０が本体１０の背面側、かつ、ダストボックス９０の下方に配置される場合にも、図１９に例示される場合と同様に掃除機１の最大幅が狭くなる。
【００４７】
・吸込具３０をロックするロック機構の構成は任意に変更可能である。一例では、掃除機１はロック機構５０に代えて、吸込具３０の状態が第３の状態である場合に吸込具３０を延長管６０に固定するロック機構を備える。このロック機構は、例えば吸込具３０に設けられる磁石と延長管６０に設けられる磁石との磁力を利用して吸込具３０を固定する構成、または、吸込具３０の一部と延長管６０の一部とを互いに嵌め合わせることにより吸込具３０を固定する構成を備える。
【産業上の利用可能性】
【００４８】
本発明は、家庭用および業務用をはじめとする各種のスティック型掃除機に適用できる。
【符号の説明】
【００４９】
１    ：掃除機（スティック型掃除機）
１０  ：本体
３０  ：吸込具
３６  ：回転制御部
５０  ：ロック機構
Ｓ    ：回転構造
Ｓ１  ：第１の回転構造
Ｓ２  ：第２の回転構造
ＪＸ１：第１の軸
ＪＸ２：第２の軸
ＺＡ  ：縦方向（本体の長手方向）
ＺＢ  ：幅方向
ＺＤ  ：吸込具の長手方向
ＺＦ  ：吸込具の高さ方向
【図１】
2019195663.tif 000003
【図２】
2019195663.tif 000004
【図３】
2019195663.tif 000005
【図４】
2019195663.tif 000006
【図５】
2019195663.tif 000007
【図６】
2019195663.tif 000008
【図７】
2019195663.tif 000009
【図８】
2019195663.tif 000010
【図９】
2019195663.tif 000011
【図１０】
2019195663.tif 000012
【図１１】
2019195663.tif 000013
【図１２】
2019195663.tif 000014
【図１３】
2019195663.tif 000015
【図１４】
2019195663.tif 000016
【図１５】
2019195663.tif 000017
【図１６】
2019195663.tif 000018
【図１７】
2019195663.tif 000019
【図１８】
2019195663.tif 000020
【図１９】
2019195663.tif 000021